(57)【要約】【課題】遊技媒体の計数を係員が行うようにし、しかも係員の誰が計数を行ったのかを識別できるようにすることにより、セキュリティーアップとその管理強化ができる遊技媒体計数機を提供する。【解決手段】投入された遊技媒体の数量を計数しする遊技媒体計数機において、前記遊技媒体を投入するホッパー２の投入口３に、該投入口３を開閉する鍵付きの開閉シャッター４を設けるとともに、計数機本体１の適所に係員が保持するＩＣメダル又はカードに記憶されたＩＤ情報を読取るＩＤ情報読取り部６を設け、待機時には前記遊技媒体の計数を不可となし、呼出しを受けた係員が保持する鍵により前記開閉シャッター４を開け、前記ＩＣメダル又はカードに記憶されたＩＤ情報を前記ＩＤ情報読取り部６に読取らすことにより前記遊技媒体の計数動作を可能となすよう構成した遊技媒体計数機。【選択図】　　　　図１
2004141643.tif 000002
【特許請求の範囲】
【請求項１】
投入された遊技媒体の数量を計数する遊技媒体計数機において、
前記遊技媒体を投入するホッパーの投入口に、該投入口を開閉する鍵付きの開閉シャッターを設けるとともに、
計数機本体の適所に係員が保持するＩＣメダル又はカードに記憶されたＩＤ情報を読取るＩＤ情報読取り部を設け、
待機時には前記遊技媒体の計数を不可となし、呼出しを受けた係員が保持する鍵により前記開閉シャッターを開け、前記ＩＣメダル又はカードに記憶されたＩＤ情報を前記ＩＤ情報読取り部に読取らすことにより前記遊技媒体の計数動作を可能となすよう構成した
ことを特徴とする遊技媒体計数機。
【請求項２】
前記開閉シャッターを開けるための鍵部と前記ＩＤ情報読取り部とを互いに近接して配設した
ことを特徴とする請求項１に記載の遊技媒体計数機。
【請求項３】
前記計数機本体に遊技媒体の計数方法、計数状態及び計数結果等を表示する液晶表示部と前記係員を呼出すための呼出しボタン及び呼出し表示手段とを設置した
ことを特徴とする請求項１又は２に記載の遊技媒体計数機。
【請求項４】
前記係員呼出しボタンをホール内に配備されたパトライトに接続し、前記係員呼出しボタンを操作することにより前記パトライトを点灯可能となした
ことを特徴とする請求項３に記載の遊技媒体計数機。
【請求項５】
前記ＩＣメダル又はカードに記憶されているＩＤ情報を前記ＩＤ情報読取り部に一回読取らすことによって前記遊技媒体を一回計数可能に構成した
ことを特徴とする請求項１乃至４のいずれかに記載の遊技媒体計数機。
【請求項６】
前記遊技媒体の計数中、前記ＩＣメダル又はカードを前記ＩＤ情報読取り部にかざしておくことによって前記遊技媒体の連続計数を可能となした
ことを特徴とする請求項５に記載の遊技媒体計数機。
【請求項７】
前記開閉シャッターにその開閉を検知するセンサーを設けるとともに、前記ＩＤ情報読取り部によるＩＤ情報読取り後の前記開閉シャッターの開閉によって一回計数か連続計数かを決定するよう構成した
ことを特徴とする請求項５に記載の遊技媒体計数機。
【請求項８】
前記開閉シャッターに小計数用の遊技媒体投入口を設けるとともに、前記計数機本体に小計数用のボタンを設け、該小計数用のボタンを操作した時のみ前記ＩＤ情報読取り部によりＩＤ情報を読取ることなく前記遊技媒体の計数動作を可能となすよう構成した
ことを特徴とする請求項１に記載の遊技媒体計数機。
【請求項９】
前記小計数に制限数値を設定し、該制限数値以上は計数不可となし、制限数値以上の遊技媒体が投入された時には、制限数値の預かり券を発券し、残りの遊技媒体は係員を呼出して通常計数を行うようにした
ことを特徴とする請求項８に記載の遊技媒体計数機。
【発明の詳細な説明】
【０００１】
【発明の属する技術分野】
本発明は、パチンコ台やスロットマシン等（以下遊技機という）で遊技に興ずることにより獲得したパチンコ玉やメダル等（以下遊技媒体という）の数量を計数する遊技媒体計数機に関するものである。
【０００２】
【従来の技術】
通常の遊技ホールでは、複数台の遊技機を支持フレームに対して背中合わせに並設して遊技機列を構成し、各遊技機列の複数台の遊技機間に所謂サンドと称する遊技媒体貸機を設置することによって、１つの遊技機管理単位である遊技島を形成しており、ホール内にこれら遊技島を幾つか配置することにより１つの遊技ホールを構成している。
【０００３】
このような遊技ホールに出かけて遊技する者は、先ず各遊技島の遊技媒体貸機に所定額の貨幣を投入して所定数の遊技媒体の払出しを受け、この遊技媒体を使って自ら選択した遊技機に遊技媒体を投入することにより遊技に興ずることができるようになっている。そして、遊技することにより遊技媒体を獲得した場合には、終了後にその遊技媒体を島端やホール内の適所に設置されている遊技媒体計数機に投入して獲得遊技媒体数を計数する。そして必要に応じて、その数をプリントした計数シートを発券させ、それを景品交換所に持っていくことにより、獲得遊技媒体数に応じた景品と交換できる仕組みになっている。
【０００４】
上述のような遊技システムにおいて、当該遊技客が遊技によって獲得した正規の遊技媒体だけでなく、不正な遊技媒体を持ち込んでそれを正規の遊技媒体と一緒に遊技媒体計数機に投入し、不正に水増し計数させて景品と交換する等の不正行為が後を絶たない状況にある。
そこで、これらの不正行為を防止するため、従来から種々のアイデアが提案されている。
【０００５】
例えば、特開２００１−８７５３８号では、遊技媒体計数機に監視カメラを内蔵し、この監視カメラにより撮像したデータを、通信回線を介して景品交換管理装置に送信し、景品交換管理装置では受信した撮像データをモニタ監視画面に映し出すようにするとともに、この監視画面の表示に基づいて監視者が操作することにより、計数機の計数動作を遠隔制御する制御手段を具備したものが提案されており、計数機の不正操作を防止するとともに、係員の負担を軽減しかつ遊技客とのトラブルを未然に防止できるようにしている。
【０００６】
また、特開２００１−２２４８３０号では、遊技媒体貸機に挿入した会員カードの入力信号を基に、遊技した台番号、遊技媒体貸機から貸出した遊技媒体数信号、遊技機に投入した遊技媒体数信号、及び遊技機から放出された遊技媒体数信号から当該遊技客の獲得遊技媒体数を算出して該獲得遊技媒体数を遊技媒体計数機に入力し、一方、当該遊技客が実際に獲得した実獲得遊技媒体を会員カードとともに遊技媒体計数機に投入して実獲得遊技媒体数を計数し、会員カードからの入力信号に基づいて計算された獲得遊技媒体数と計数された実獲得遊技媒体数とを比較して不正行為の有無を検知することにより、不正防止あるいは不正防止を抑止するようにしたシステムが提案されている。
【０００７】
一方において、遊技客に対するサービス向上の観点から、島端等に設置される遊技媒体計数機に島内に配設されている複数台の遊技機毎の詳細な遊技データや時々刻々変化する遊技データを表示するデータ表示画面を設け、これによって遊技客が島端において該データ表示画面を見て各遊技機の遊技データをいち早く把握できるようにし、遊技機を選択する際の参考にできるようにしたものが、特開平７−１８５１１６号にて提供されている。
【０００８】
しかしながら、上記したような不正防止対策を施しているにもかかわらず、不正行為を完全に防止できていないのが実情であり、更なるセキュリティー向上が望まれている状況にある。
そのためには、ハード面からの不正防止対策のみに止まらず、係員の個人情報を含めたセキュリティー管理の強化が必要であり、遊技客に対するサービスを低下することなく、如何にセキュリティーアップを図るかが問われている。
【０００９】
【発明が解決しようとする課題】
本発明は、上記した問題に対処するためになされたものであり、その第一の課題は、遊技媒体の計数を係員が行うようにし、しかも係員の誰が計数を行ったのかを識別できるようにすることによって、一層のセキュリティーアップとその管理強化を図ることができる遊技媒体計数機を提供しようとするものである。
また、本発明のもう一つの課題は、セキュリティーアップを図りながらも遊技客に対するサービス低下に繋がらないように、必要な操作機能や表示機能を確保できる遊技媒体計数機を提供しようとするものである。
【００１０】
【課題を解決するための手段】
上記した課題を解決するため、本発明の請求項１に記載された遊技媒体計数機は、投入された遊技媒体の数量を計数する遊技媒体計数機において、前記遊技媒体を投入するホッパーの投入口に、該投入口を開閉する鍵付きの開閉シャッターを設けるとともに、計数機本体の適所に係員が保持するＩＣメダル又はカードに記憶されたＩＤ情報を読取るＩＤ情報読取り部を設け、待機時には前記遊技媒体の計数を不可となし、呼出しを受けた係員が保持する鍵により前記開閉シャッターを開け、前記ＩＣメダル又はカードに記憶されたＩＤ情報を前記ＩＤ情報読取り部に読取らすことにより前記遊技媒体の計数動作を可能となすよう構成したことを特徴とするものである。
上記の如く通常の待機時は計数不可であり、遊技媒体を係数する時には係員を呼出すことによって計数してもらう。この際、係員は保持している鍵によりホッパーの投入口に設けられている開閉シャッターを開けて遊技媒体を投入できるようにするとともに、ＩＣメダル又はカードに記憶されたＩＤ情報をＩＤ情報読取り部に読取らすことにより遊技媒体の計数動作を可能となすようにしているため、係員不在による遊技媒体計数を防止することができる。従って、係員に鍵と一緒にＩＣメダル又はカードに管理してもらい、係員の個人情報とともに遊技媒体を計数できることから、遊技媒体計数の監視機能を強化しセキュリティーアップとその管理強化を図ることができる。
【００１１】
また、本発明の請求項２に記載された遊技媒体計数機は、請求項１に記載の遊技媒体計数機において、前記開閉シャッターを開けるための鍵部と前記ＩＤ情報読取り部とを互いに近接して配設したしたことを特徴とするものである。
上記のように開閉シャッターを開けるための鍵部とＩＤ情報読取り部とを互いに近接して配設しておくことにより、開閉シャッターを鍵により開錠する際に鍵と一緒にキーホルダー等にぶら提げたＩＣメダル又はカードによってＩＤ情報をＩＤ情報読取り部に読取らすことができ、操作の簡便化を図ることができる。
【００１２】
更に、本発明の請求項３に記載された遊技媒体計数機は、請求項１又は２に記載の遊技媒体計数機において、前記計数機本体に遊技媒体の計数方法、計数状態及び計数結果等を表示する液晶表示部と前記係員を呼出すための呼出しボタン及び呼出し表示手段とを設置したことを特徴とするものである。
上記の構成によると、遊技媒体の計数を行う際に遊技客は計数機本体に設置されている液晶表示部の、例えば「係員をお呼び下さい」等の表示に従って係員呼出しボタンを操作し、ランプ等の呼出し表示手段を点灯して係員を呼出すことによって、係員に遊技媒体を計数してもらうことができる。
【００１３】
本発明の請求項４に記載された遊技媒体計数機は、請求項３に記載の遊技媒体計数機において、前記係員呼出しボタンをホール内に配備されたパトライトに接続し、前記係員呼出しボタンを操作することにより前記パトライトを点灯可能となしたことを特徴とするものである。
このように係員呼出しボタンを操作した際にホール内に配備されたパトライトを点灯させることができるようにしているため、ホール内での視覚効果を向上させることができる。
【００１４】
また、本発明の請求項５に記載された遊技媒体計数機は、請求項１乃至４のいずれかに記載の遊技媒体計数機において、前記ＩＣメダル又はカードに記憶されているＩＤ情報を前記ＩＤ情報読取り部に一回読取らすことによって前記遊技媒体を一回計数可能に構成したことを特徴とするものである。
上記のように一回のＩＤ情報読取りにより一回だけ計数できるよう設定しておくことによって、計数時の混同や計数ミス等を確実に防止し、より正確で信頼性の高い遊技媒体の計数が実現できる。
【００１５】
更に、本発明の請求項６に記載された遊技媒体計数機は、請求項５に記載の遊技媒体計数機において、前記遊技媒体の計数中、前記ＩＣメダル又はカードを前記ＩＤ情報読取り部にかざしておくことによって前記遊技媒体の連続計数を可能となしたことを特徴とするものである。
一回のＩＤ情報読取りにより一回計数という基本動作のみの場合、混雑する可能性がある等、状況によっては連続係数が必要になることがある。そこで、基本動作とは異なる動作、すなわち遊技媒体の計数中ＩＣメダル又はカードをＩＤ情報読取り部にかざしておくことによって、連続計数できるようにしている。このため、基本動作とは別に基本動作との混同を回避しつつ連続計数できる機能を確保することができる。
【００１６】
更にまた、本発明の請求項７に記載された遊技媒体計数機は、請求項５に記載の遊技媒体計数機において、前記開閉シャッターにその開閉を検知するセンサーを設けるとともに、前記ＩＤ情報読取り部によるＩＤ情報読取り後の前記開閉シャッターの開閉によって一回計数か連続計数かを決定するよう構成したことを特徴とするものである。
上記のように、開閉シャッターに開閉検知センサーを設け、ＩＤ情報読取り後のシャッターの開閉により一回計数か連続計数かを決定できるようにしているため、このような動作によっても前記基本動作とは区別された連続計数動作を可能ならしめることができる。
【００１７】
また、本発明の請求項８に記載された遊技媒体計数機は、請求項１に記載の遊技媒体計数機において、前記開閉シャッターに小計数用の遊技媒体投入口を設けるとともに、前記計数機本体に小計数用のボタンを設け、該小計数用のボタンを操作した時のみ前記ＩＤ情報読取り部によりＩＤ情報を読取ることなく前記遊技媒体の計数動作を可能となすよう構成したことを特徴とするものである。
遊技客はホール内で喫煙したり、喫飲したりして休憩することがあり、このような場合、遊技媒体を煙草や飲料との交換に使用することが多い。煙草や飲料等との交換遊技媒体数は予め決められており、該ケースについても一々係員による計数にすると遊技客に不便を掛けるおそれがあるため、かかるケースでは遊技客が予め定められている所定数の遊技媒体を開閉シャッターの小計数用遊技媒体投入口から投入し、小計数用ボタンを操作して計数可能にしておくことにより、遊技客に対する利便性向上と係員の負担軽減を図ることができる。
【００１８】
更に、本発明の請求項９に記載された遊技媒体計数機は、請求項８に記載の遊技媒体計数機において、前記小計数に制限数値を設定し、該制限数値以上は計数不可となし、制限数値以上の遊技媒体が投入された時には、制限数値の預かり券を発券し、残りの遊技媒体は係員を呼出して通常計数を行うようにしたことを特徴とするものである。
上記した小計数の場合、遊技媒体数が予め決まっているため、通常余分な数の遊技媒体を投入することはないが、遊技客が間違って制限数値以上の遊技媒体を投入してしまった場合は、制限数値の預かり券を発券した上で制限数値を越えた遊技媒体について係員を呼んで通常計数を行ってもらうことでバックアップできるようにしている。
【００１９】
【発明の実施の形態】
以下に本発明の実施の形態を図１乃至図４に基づいて説明する。
図１は本発明の実施形態に係る遊技媒体計数機の構成を示す平面図、図２はその正面図、図３は当該遊技媒体計数機による通常の計数動作を示すフロー図、図４は当該遊技媒体計数機による小計数動作を示すフロー図である。
【００２０】
図中において、１は遊技媒体計数機本体であり、その上面の前方側には遊技媒体を投入するためのホッパー２が設けられている。このホッパー２の投入口３には、該投入口３を開閉するための開閉シャッター４が設けられている。
開閉シャッター４には正面側に鍵部５が設けられており、通常は係員が保持している鍵を差し込むことによって、開閉シャッター４の開閉ができるようになっている。なお、鍵だけでなく、オートロック機能を搭載し、景品ＰＯＳ及び営業端末で別途オートロックを管理することも可能である。
【００２１】
また、計数機本体１の正面側には、開閉シャッター４の鍵部５に近接してＩＤ情報読取り部６が設けられており、係員が保持しているＩＤメダル又はカードを該ＩＤ情報読取り部６にかざすことによって、ＩＤ情報読取り部６でＩＤメダル又はカードに記憶されている係員情報を含むＩＤ情報を読取り計数機が遊技媒体の計数動作を可能となすように構成されている。
【００２２】
計数機本体１には、上記の他に遊技媒体を計数する際の計数方法、計数状態及び計数結果等を具体的に絵文字等で表示する液晶表示部（画面）７が本体上面の略中央部に設けられ、その左側にホール毎に特定の遊技媒体数を設定する場合等に使う設定キー８が設けられ、該設定キー８と液晶表示部７との間に係員呼出しボタン９と小計数ボタン１０が設置されている。
【００２３】
係員呼出しボタン９は、遊技媒体の計数を行ってほしい場合にホール内の係員を呼出すためのボタンであり、このボタン９を操作することにより計数機本体１に一体に設けられた呼出し表示手段（呼出しランプ）１１が点灯されるようになっている。呼出し表示手段１１は、エラー発生時の警報ランプとして兼用されるようになっている。
なお、係員呼出しボタン９をホール内に配備された図示省略のパトライトに接続し、呼出しボタン９を操作することによってパトライトを点灯させて視覚効果を向上させるように構成してもよい。
【００２４】
また、小計数ボタン１０は、休憩時に喫煙あるいは喫飲しようとしたとき、遊技媒体と煙草や清涼飲料等の景品とを交換する場合等に使うボタンであり、このボタン１０を操作することにより後述する小計数動作を可能となすよう構成されている。そして、開閉シャッター４には、この小計数時に遊技媒体を投入するための小計数投入口１２が設けられており、鍵によって開閉シャッター４を開けることなく、遊技客が小計数投入口１２から遊技媒体を投入し、小計数ボタン１０を操作することによって、制限された数値内での小計数が可能なように構成されている。
【００２５】
更に、プリンターを内臓した計数機本体１の場合は、その上面右側に計数を開始するための計数スタートボタン１３と計数終了後に計数結果をプリントした計数シートを発券するためのプリントボタン１４が設けられており、計数終了後にプリントボタン１４を操作することによって、計数結果をプリントした計数シートがプリント取出口１５から発券されるように構成されている。
【００２６】
以下に上記した実施形態に係る計数機による遊技媒体の計数動作をついて説明する。本実施形態に係わる計数機では上述の如くプリンターを内蔵した計数機本体に基づいて説明するが、計数結果を表示するだけでプリンタしない構造のもの（プリンター非内臓）も同様の作用効果を奏するものである。図３は通常の計数動作を示すフロー図であり、待機中は遊技媒体の計数は不可であり、液晶表示部７には、例えば「係員をお呼び下さい」等のメッセージが表示され待機状態２０となっているので、遊技客はこの液晶表示部７の表示メッセージに従って係員の呼出し動作を実行する。
【００２７】
遊技客は、先ず液晶表示部７の表示を見て計数機本体１に設けられている係員呼出しボタン９をオンにして係員呼出し動作２１を実行し、呼出し表示手段（呼出しランプ）１１を点灯状態２２となすことによって、ホール内の係員を呼出すことができる。ここで、呼出しボタン９をホール内に配備されている図示省略のパトライトに接続し、このパトライトを点灯することによって係員の呼出し効果とともに視覚効果を高めることができる。これによって計数機は係員呼出しモード２３となり、その旨を液晶表示部７に表示する。
【００２８】
すべての係員は、計数機の開閉シャッター４を開閉する鍵と計数動作に必要なＩＤ情報を記憶したＩＤメダル又はカードを専用のキーホルダーに納めて保持管理しており、上記のようにして呼出しを受けた場合、計数機設置箇所に駆けつけて遊技客が獲得した遊技媒体を計数機に投入して計数動作を開始する。
この際、係員は保持している鍵を開閉シャッター４の鍵部５に差し込んで開閉シャッター４を開けるとともに、ＩＤメダル又はカードを計数機本体１のＩＤ情報読取り部６にかざしてＩＤ情報リード状態２４となし、ＩＤメダル又はカードに記憶されている係員情報を含むＩＤ情報を計数機に読取らせる。
【００２９】
計数機は、ＩＤ情報を読取ることにより初めて遊技媒体の計数動作が可能な通常計数モード状態２５となる。この状態で遊技客が獲得した遊技媒体をドル箱から計数機のホッパー２に投入口３を介して投入（投入動作２６）し、続いて、計数スタートボタン１３をオン状態２７とすることによって、計数開始状態２８となり、計数機は遊技媒体の計数を開始する。
投入された遊技媒体の計数が終了すると、計数終了２９の表示が液晶表示部７に表示され、係員はそれを確認する。更にプリンター内臓の計数機においては、プリントボタン１４をオン状態３０とすることによって、計数機に計数結果３１をプリントさせることができる。その上、計数結果３１をプリントした計数シートをプリント取出口１５から発券させることも可能である。
【００３０】
以上の動作によって遊技媒体を計数することができる。
この計数動作は、基本的には一回のＩＤ情報の読取りにより一回の計数が実施できるように設定されている。このように一回のＩＤ情報の読取りにより一回だけ計数できるよう設定しておくことによって、計数時の混同や計数ミス等を確実に防止し、より正確で信頼性の高い遊技媒体の計数を実現することができる。
【００３１】
また、ＩＤ情報読取り部６を開閉シャッター４の鍵部５と近接して配置しておくことによって、鍵により開閉シャッター４を開錠する際に鍵と一緒にキーホルダー等にぶら提げてあるＩＣメダル又はカードから、それに記憶されているＩＤ情報を同時に読取らすことができるため、操作を簡便化することができる。そして、鍵を抜き取ることによりＩＣメダル又はカードからＩＤ情報が読み込めなくなると待機状態に戻るようになっている。
【００３２】
遊技媒体の基本計数動作は上記の通りであるが、計数が混雑する等、状況によっては連続計数が必要な場合が生ずる。このような場合、以下の２つの方法により連続計数ができるように設定されている。
（１）ＩＣメダル又はカードをＩＤ情報読取り部６に計数中の間ずっとかざしておくことにより、連続計数を可能にする。
（２）開閉シャッター４に開閉検知センサーを設け、ＩＤ情報の読取り後開閉シャッター４の開閉により一回計数か連続計数かを決定する。
なお、いずれの場合でも開閉シャッターが閉められた時点で計数動作を終了するようにしている。
【００３３】
また、計数機付近にＩＤメダル又はカードを保持した係員が集まった場合に誤ってＩＤ情報が読み込まれるのを避けるため、ＩＤ情報の読み込み可能距離をできる限り短くしておくことが望ましい。更に、読み込んだＩＣメダル又はカードのナンバー等ＩＤ情報を液晶表示部７に表示することにより、係員が誰であるかを確認できるようにしてもよい。
【００３４】
しかして、上記の実施形態によると、通常の待機時は計数不可であり、遊技媒体を計数するときには係員を呼出すことによって、係員に遊技媒体を計数してもらうことができる。その際、係員は保持している鍵によりホッパー２の投入口３に設けられている開閉シャッター４を開けて遊技媒体を投入できるようにするとともに、ＩＣメダル又はカードに記憶されたＩＤ情報をＩＤ情報読取り部６に読取らすことにより、計数機による計数動作を可能となすようにしているため、係員不在による遊技媒体計数を防止することができる。従って、係員に鍵と一緒にＩＣメダル又はカードに管理してもらい、係員の個人情報とともに遊技媒体を計数できるようにしていることから、遊技媒体計数の監視機能を強化しセキュリティーアップを図ることができるとともに、その管理強化を図ることができる。
【００３５】
次に、図４に示す小計数動作について説明する。
遊技客はホール内で喫煙したり、喫飲したりして休憩することがあり、このような場合、遊技媒体を煙草や飲料との交換に使用することが多い。煙草や飲料等と交換できる遊技媒体数は予め決められており、このような制限された数の遊技媒体を計数するために係員を呼ばないで計数できる機能を小計数動作とし、上記した通常計数動作とは区別して設定している。これは係るケースについて一々係員を呼出して計数にするようにすると遊技客に不便を掛けるおそれがあるためである。
【００３６】
この小計数動作を行う場合、待機状態２０にある計数機に対して、先ず小計数ボタン１０をオン状態３２となし、小計数モード３３に切替える。続いて開閉シャッター４に設けられている小計数用投入口１２を利用し、ステップ３４でこの小計数用投入口１２から所定数の遊技媒体を投入する。
遊技媒体を投入後、計数スタートボタン１３をオン状態３５となし、ステップ３６で遊技媒体の計数を開始とする。基本の小計数動作は、小計数ボタン１０を一回操作する毎に一回の計数が可能なように設定されている。
【００３７】
投入された遊技媒体が制限数値以下の場合は、ステップ３７で制限数値以下か否かが判定された後、ステップ３８で計数終了が液晶表示部７に表示され、遊技客はそれを確認する。そしてその確認をもとに好みの景品を入手できるのである。一方プリンター内臓の計数機においては、プリントボタン１４をオン状態３９とすることによって計数機に計数結果４０をプリントさせることができる。そして、遊技客はプリント取出口１５から発券された預かり券をもとに好みの煙草や飲料等を入手することになる。
【００３８】
一方、小計数動作では、制限数値以上は計数不可に構成されているため、もし誤って設定された制限数値以上の遊技媒体が投入された場合には、制限数値までの遊技媒体を計数した後、ステップ４１で強制終了され、計数結果４２として制限数値までの遊技媒体を計数した預かり券を発券し、残りの遊技媒体の計数を中止する。この残りの遊技媒体は、係員呼出しボタン９を操作して呼出し表示手段（呼出しランプ）１１を点灯状態４３となし、係員呼出しモード４４に切替えて係員を呼出し、前述した通常計数動作に準じて遊技媒体を計数し、確認することになる。
【００３９】
しかして、係員呼出しによる通常計数動作の他に小計数動作を設定しておくことにより、制限数値内で遊技媒体を計数するケースでは、遊技客が予め定められている所定数の遊技媒体を開閉シャッター４の小計数用遊技媒体投入口１２から投入し、小計数用ボタン１０を操作して自分で遊技媒体を計数することができるため、遊技客に対する利便性を向上することができるとともに、その分係員の負担を軽減することができる。また、誤って制限数値以上の遊技媒体を投入した場合でも、通常計数動作によって余分に投入した遊技媒体を計数できるので、損失を被ることもない。
【００４０】
【発明の効果】
以上に詳細に説明したように、本発明に係る遊技媒体計数機によると、遊技媒体の計数を係員が行うようにし、しかも係員の誰が計数を行ったのかを識別できるように係員の個人情報を含めたＩＤ情報を読取らすことによって、計数動作を可能となすようにしているため、一層のセキュリティーアップとその管理強化を図ることができる。また、上記の通りセキュリティーアップを図りながらも遊技客に対するサービス性の低下に繋がらないように、必要な操作機能や表示機能を強化してサービス性面での機能アップを図るようにし、しかも小計数動作機能等を設定することによって、遊技客の利便性を確保できるようにしている。
【図面の簡単な説明】
【図１】本発明に係る遊技媒体計数機の構成を示す平面図である。
【図２】本発明に係る遊技媒体計数機の構成を示す正面図である。
【図３】本発明に係る遊技媒体計数機による通常の計数動作を示すフロー図である。
【図４】本発明に係る遊技媒体計数機による小計数動作を示すフロー図である。
【符号の説明】
１…遊技媒体計数機本体、２…ホッパー、３…投入口、４…開閉シャッター、５…鍵部、６…ＩＤ情報読取り部、７…液晶表示部、８…設定キー、９…係員呼出しボタン、１０…小計数ボタン、１１…呼出し表示手段、　１２…小計数投入口、１３…計数スタートボタン、１４…プリントボタン、１５…プリント取出口
【図１】
2004141643.tif 000003
【図２】
2004141643.tif 000004
【図３】
2004141643.tif 000005
【図４】
2004141643.tif 000006